(57)【要約】      （修正有）【課題】コネクタとカテーテルとの係合状態を安定させることが可能なコネクタ、チューブセット及び胃瘻カテーテルセットを提供する。【解決手段】コネクタ４７は、ルーメンが設けられて体内に挿入される長尺のシャフト４４と体表に露出する体表部４３とを有する胃瘻カテーテル４２と、栄養剤を送り込むためのチューブ４６と、を接続するものである。コネクタ４７は、本体部４７ａと、ルーメンに接続される接続部と、体表部４３に係脱可能なフック部４８と、を備える。フック部４８は、接続部がルーメンに接続された状態で、体表部４３に係合する係合位置と、体表部４３との係合が解除される解除位置と、に変位可能なように、本体部４７ａに回動可能に支持されている。【選択図】図２
2020188846.tif 000002
【特許請求の範囲】
【請求項１】
ルーメンが設けられて体内に挿入される長尺のシャフトと体表に露出する体表部とを有する胃瘻カテーテルと、栄養剤を送り込むためのチューブと、を接続するコネクタであって、
本体部と、
前記ルーメンに接続される接続部と、
前記体表部に係脱可能なフック部と、を備え、
該フック部は、前記接続部が前記ルーメンに接続された状態で、前記体表部に係合する係合位置と、前記体表部との係合が解除される解除位置と、に変位可能なように、前記本体部に回動可能に支持されていることを特徴とするコネクタ。
【請求項２】
前記本体部に保持部が設けられ、前記保持部に係止される被保持部が前記フック部に設けられており、
前記保持部は、前記被保持部に係止することにより前記本体部と前記フック部との位置関係を保持可能であり、前記フック部が回動したときの前記被保持部の経路上に配設されている請求項１に記載のコネクタ。
【請求項３】
前記保持部は、凹部であり、
前記被保持部は、前記凹部側に突出したラッチである請求項２に記載のコネクタ。
【請求項４】
前記保持部と前記被保持部とは、前記フック部が前記体表部に係合する位置にあるときに係止する位置にある請求項２又は３に記載のコネクタ。
【請求項５】
前記フック部の回動方向のうち、前記フック部が前記体表部に係合する際に前記体表部に近接する方向を一方向としたときに、
前記保持部と前記被保持部とは、前記フック部が前記体表部に係合する位置から前記一方向にずれた位置で係止する請求項２から４のいずれか一項に記載のコネクタ。
【請求項６】
前記フック部の回動方向のうち、前記フック部が前記体表部に係合する際に近接する方向を一方向としたときに、
前記保持部と前記被保持部とは、前記フック部が前記体表部に係合する位置から前記一方向の逆方向にずれた位置で係止する請求項２から５のいずれか一項に記載のコネクタ。
【請求項７】
前記フック部又は前記本体部の少なくとも一方には、相互に相対的に回動可能とする回動軸が設けられており、
該回動軸は、前記チューブの延在方向に対して直交する方向に配設されており、
前記フック部は、前記本体部に対して前記回動軸を中心に回動可能に取り付けられている請求項１から６のいずれか一項に記載のコネクタ。
【請求項８】
請求項１から７のいずれか一項に記載の前記コネクタと、前記コネクタに接続される前記チューブと、を備えるチューブセット。
【請求項９】
前記フック部には、少なくとも一部が切り欠かれた凹部が形成されており、
前記フック部は、前記凹部が前記チューブの少なくとも一部を収容する位置まで回動可能に構成されている請求項８に記載のチューブセット。
【請求項１０】
請求項１から９のいずれか一項に記載の前記コネクタと、前記コネクタに接続される前記胃瘻カテーテルと、を備える胃瘻カテーテルセット。
【請求項１１】
前記フック部は、前記本体部との間で前記体表部の一部を挟持する請求項１０に記載の胃瘻カテーテルセット。
【発明の詳細な説明】
【技術分野】
【０００１】
本発明は、コネクタ、コネクタ及びチューブを備えるチューブセット、並びにコネクタ、チューブ及び胃瘻カテーテルを備える胃瘻カテーテルセットに関する。
【背景技術】
【０００２】
口や鼻から食物を摂取することが困難な人のために、腹壁を通して直接的に胃内に栄養剤等を投与するための胃瘻カテーテルが従来から用いられている。このような胃瘻カテーテル（以下、カテーテルともいう。）としては、栄養剤を供給するためのチューブが一体的に取り付けられたチューブ式のカテーテルと、コネクタを介してチューブが着脱可能（交換可能）に取り付けられたボタン式のカテーテルと、が知られている。ボタン式のカテーテルにおいては、栄養剤の投与時に、コネクタを介してチューブを接続する必要がある。
【０００３】
特に、使用者に下痢が生じることを防止するため、高粘度の栄養剤が用いられることが近年主流となっている。高粘度の栄養剤を投入する場合には、低粘度のものを投入する場合と比較して、注入抵抗が増大するため、大きな荷重をかけて栄養剤をチューブに投入する必要がある。コネクタと胃瘻カテーテルとの構成に関して、チューブに加わる荷重によって、チューブに接続されたコネクタが胃瘻カテーテルから外れないように掛止（係合）可能なものが需要者に望まれていた。
【０００４】
例えば、特許文献１には、コネクタ（同文献には、接続部材と記載。）を用いて、チューブと、カテーテルとを接続する接続構造が開示されている。
この接続構造においては、使用者がチューブを引っ張ったりすると、チューブに設けられた被係合部に係合するようにコネクタに設けられた係合部が撓んで、その係合が解除されることが記載されている。このようにして、コネクタに接続されたカテーテル（同文献には、瘻孔カテーテルと記載。）が瘻孔から外れることを防止するというものである。
【先行技術文献】
【特許文献】
【０００５】
【特許文献１】特開２０１１−５１１９号公報
【発明の概要】
【発明が解決しようとする課題】
【０００６】
しかしながら、特許文献１に記載の接続構造においては、コネクタとカテーテルとの係合が不意に解除されやすかった。
詳細には、特許文献１に記載のコネクタは、カテーテルの被係合部にスライド係合可能な略Ｃ形の係合部と、チューブの被固定部が係合する略Ｃ形のガイド部と、を備える。ガイド部は、係合部と間隔を保って平行に配置されており、チューブがスライド挿入されることによって、チューブの被固定部に係合される。
【０００７】
そして、共に略Ｃ形である係合部とガイド部との双方の開放側は、同一向きに設けられている。コネクタの係合部がカテーテルに係合し、チューブがコネクタのガイド部の開放側から挿入されて取付けられた状態から、術者又は使用者が、その取付位置を越えてさらにチューブをガイド部の奥に押し込んでしまうときがある。このとき、チューブに押し込まれたコネクタは、係合部の開放側とは逆側に移動することになるため、係合部のカテーテルへの係合が解除されてしまうことがあった。
【０００８】
本発明は、上記の課題に鑑みなされたものであり、コネクタとカテーテルとの係合状態を安定させることが可能なコネクタ、チューブセット及び胃瘻カテーテルセットを提供することを目的とする。
【課題を解決するための手段】
【０００９】
本発明のコネクタは、ルーメンが設けられて体内に挿入される長尺のシャフトと体表に露出する体表部とを有する胃瘻カテーテルと、栄養剤を送り込むためのチューブと、を接続するコネクタであって、本体部と、前記ルーメンに接続される接続部と、前記体表部に係脱可能なフック部と、を備え、該フック部は、前記接続部が前記ルーメンに接続された状態で、前記体表部に係合する係合位置と、前記体表部との係合が解除される解除位置と、に変位可能なように、前記本体部に回動可能に支持されていることを特徴とする。
本発明のチューブセットは、前記コネクタと、前記コネクタに接続される前記チューブと、を備えることを特徴とする。
本発明の胃瘻カテーテルセットは、前記コネクタと、前記コネクタに接続される前記胃瘻カテーテルと、を備えることを特徴とする。
【発明の効果】
【００１０】
本発明のコネクタ、チューブセット及び胃瘻カテーテルセットによれば、コネクタとカテーテルとの係合状態を安定させることが可能なコネクタ、チューブセット及び胃瘻カテーテルセットを提供することができる。
【図面の簡単な説明】
【００１１】
【図１】本実施形態に係る胃瘻カテーテルセットの側面図である。
【図２】図１の胃瘻カテーテルセットの一部（上部）を示す上側斜視図である。
【図３】胃瘻カテーテルの一部と、コネクタの本体部及びフック部と、を分解して示した分解斜視図である。
【図４】（ａ）は、フック部が第１位置にある状態におけるチューブセットの一部を示す側面図、（ｂ）は、フック部が第２位置にある状態における胃瘻カテーテルセットの一部を示す側面図である。
【発明を実施するための形態】
【００１２】
以下、本発明の実施形態に係るコネクタ４７、チューブセット４１及び胃瘻カテーテルセット４１Ｘの構成について、図１から図３を主に参照して説明する。図１は、本実施形態に係る胃瘻カテーテルセット４１Ｘの側面図、図２は、図１の胃瘻カテーテルセット４１Ｘの一部（上部）を示す上側斜視図である。図３は、胃瘻カテーテルセット４１Ｘの一部と、コネクタ４７の本体部４７ａ及びフック部４８と、を分解して示した分解斜視図である。
【００１３】
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。
【００１４】
＜＜概要＞＞
本発明の実施形態に係るコネクタ４７は、図３に示すルーメン４４ａが設けられて体内に挿入される長尺のシャフト４４と体表に露出する体表部４３とを有する胃瘻カテーテル４２と、栄養剤を送り込むためのチューブ４６と、を接続するものである。
コネクタ４７は、本体部４７ａと、図３に示すルーメン４４ａに接続される接続部４７ｄと、体表部４３に係脱可能なフック部４８と、を備える。
フック部４８は、接続部４７ｄがルーメン４４ａに接続された状態で、体表部４３に係合する係合位置と、体表部４３との係合が解除される解除位置と、に変位可能なように、本体部４７ａに回動可能に支持されていることを特徴とする。
【００１５】
上記構成によれば、接続部４７ｄがルーメン４４ａに接続された状態で、フック部４８を本体部４７ａに対して回動させて、係合位置と解除位置とに切替え可能であることで、係合状態が不意に解除されることを抑制することができる。さらに、意思に即してフック部４８の係合を解除することができる。
【００１６】
なお、本書において「係合」とは、必ずしも物と物同士が当接している状態に限定されず、離間しているが一方の物が他方の物に対して「所定方向」に相対的に変位したときに当接するような状態をも含むものとする。特に、本発明に係る上記の「所定方向」とは、シャフト４４に対してコネクタ４７が離脱する方向をいう。
【００１７】
また、本書において、チューブセット４１は、コネクタ４７と、コネクタ４７に接続されるチューブ４６と、から構成されるものをいうものとする。
胃瘻カテーテルセット４１Ｘは、コネクタ４７と、コネクタ４７に接続される胃瘻カテーテル４２と、から構成されるもの、及びチューブ４６を更に備えるものをいうものとする。
【００１８】
＜胃瘻カテーテルセット＞
本実施形態に係る胃瘻カテーテルセット４１Ｘは、コネクタ４７と、コネクタ４７に接続される胃瘻カテーテル４２と、チューブ４６と、から構成される。なお、上記のように、チューブ４６を備えず、コネクタ４７と、コネクタ４７に接続される胃瘻カテーテル４２と、のみによって構成されるものも胃瘻カテーテルセット４１Ｘに含まれるものとする。
胃瘻カテーテル４２は、体表に露出するボタンタイプの体表部４３と体表部４３に対して基端部が一体的に接続されたシャフト４４と、シャフト４４の先端部に設けられたバンパー４５（図１参照）と、不図示の逆止弁と、を備える。
【００１９】
体表部４３は、使用者に取り付けられた状態において、使用者の体表に露出する部位であり、その下面が、後述するコネクタ４７に設けられたフック部４８に係合する。
シャフト４４には、体表部４３から形成された図３に示すルーメン４４ａが中央部に連通して軸心方向に延在している。
【００２０】
バンパー４５は径方向に変形可能な可撓性を有し、バンパー４５の内部には不図示のワイヤの一部がとぐろを巻くように配設されている。ワイヤは、体表部４３からシャフト４４を通り、ワイヤの先端側の部位がバンパー４５の内部に配設されるように構成されている。
バンパー４５は、ワイヤの弾性力が付与されることによって拡径方向に変形し、ワイヤが取り除かれることによって縮径方向に変形可能に構成されている。
【００２１】
胃瘻カテーテル４２は、ワイヤを含むバンパータイプに限定されず、他のバンパータイプであってもよい。さらには、胃瘻カテーテル４２は、バンパータイプではなく、蒸留水等が注入されることによって膨張して胃内に係止可能となり、排出されることによって、胃内に挿入又は胃外に排出可能なバルーンタイプであってもよい。
【００２２】
胃瘻カテーテル４２の主な部位の構成部材の材質としては、例えば、ポリフッ化ビニリデン樹脂、ポリテトラフルオロエチレン樹脂、ポリエチレン樹脂、ポリプロピレン樹脂、又はシリコンゴムその他のゴム材料等が挙げられる。しかしながら、このような材質に限定されず、定形性を有するように適度な剛性をもった材質であればよい。
【００２３】
＜コネクタ＞
コネクタ４７は、シャフト４４とチューブ４６とを接続するものである。コネクタ４７は、チューブ４６が接続される本体部４７ａと、胃瘻カテーテル４２のルーメン４４ａに挿入される接続部４７ｄと、胃瘻カテーテル４２の体表部４３に係合するフック部４８と、を主に備える。
本実施形態に係るコネクタ４７は、接続部４７ｄの突出向き（下向き）に対して直交する向きにチューブ４６が挿入される挿込口４７ｂが形成されている。つまり、図１に示すように、コネクタ４７に接続されたチューブ４６は、シャフト４４に対して垂直方向に引き出される構成（アングルタイプ）となっている。
なお、このような構成に限定されず、ストレートタイプであってもよい。ストレートタイプである場合には、コネクタ４７に接続されたチューブ４６は、シャフト４４の延長上に引き出されることになる。
【００２４】
本体部４７ａの基端部４７ａａには、挿込口４７ｂが形成されており、挿込口４７ｂにチューブ４６が接続されている。
本体部４７ａの中央部４７ａｂの下面は、体表部４３の上面に当接可能な面であり、図３に示すように、中央部４７ａｂの下面から下方に突出して形成された円筒状の接続部４７ｄが設けられている。この接続部４７ｄは、胃瘻カテーテル４２のルーメン４４ａに接続するためのものであり、接続部４７ｄには嵌合リブ４７ｄａが周回上に設けられており、嵌合リブ４７ｄａがルーメン４４ａの内壁面に形成された被嵌合溝４４ｃに嵌合する。
【００２５】
嵌合リブ４７ｄａが被嵌合溝４４ｃに嵌合し、フック部４８が胃瘻カテーテル４２側に回動させられたときに、フック部４８の掛止部４８ｄが体表部４３の下方に位置するように、フック部４８、嵌合リブ４７ｄａ及び被嵌合溝４４ｃが形成されている。
特に、掛止部４８ｄが体表部４３に係合した状態から、コネクタ４７がルーメン４４ａから引き抜かれようとしたときに、嵌合リブ４７ｄａが被嵌合溝４４ｃから抜け出さない位置関係であると好適である。
【００２６】
中央部４７ａｂの両側面には、フック部４８の回動凸部４８ｆが嵌まる円形の支持凹部４７ｆと、フック部４８の回動をガイドするとともに回動範囲（経路）を画定する、半円弧状であるＵ字状（略Ｕ字状を含む。）に形成されたガイド溝４７ｈが形成されている。より具体的には、ガイド溝４７ｈは、支持凹部４７ｆの中心を中心とする半円弧状に形成されている。回動凸部４８ｆは、フック部４８の回動軸として機能するものである。
【００２７】
図３に示すように、本体部４７ａの中央部４７ａｂに保持部（保持凹部４７ｇ）が設けられ、保持部（保持凹部４７ｇ）に係止される被保持部（ラッチ４８ｇ）がフック部４８に設けられている。保持部（保持凹部４７ｇ）は、被保持部（ラッチ４８ｇ）に係止することにより本体部４７ａとフック部４８との位置関係を保持可能であり、フック部４８が回動したときの被保持部（ラッチ４８ｇ）の経路上に配設されている。この経路は、上記のようにガイド溝４７ｈによって画定されている。
【００２８】
より具体的には、本実施形態に係る保持凹部４７ｇは、ガイド溝４７ｈの両端部に１つずつ、ガイド溝４７ｈの中央部に１つ、計３つ設けられている。
このように設けられた保持凹部４７ｇにラッチ４８ｇが保持されることによって、図１、図４（ａ）及び図４（ｂ）に示して後述するように、フック部４８の姿勢を各位置で保持することができる。
【００２９】
上記構成によれば、術者がフック部４８を回動させたときに、保持部（保持凹部４７ｇ）と被保持部（ラッチ４８ｇ）とによりフック部４８と本体部４７ａとの相対的な位置が保持されることで、フック部４８を所定の回動位置に固定することができる。
このため、胃瘻カテーテル４２へのフック部４８の取付けを容易にしたり、フック部４８が本体部４７ａから突出しないようにコンパクトにしたりすることができる。
特に、本実施形態においては、ガイド溝４７ｈの両端部に設けられた保持凹部４７ｇは、支持凹部４７ｆの中心を通る平面上に設けられており、フック部４８は、９０度ごとに３つの位置で姿勢を保持可能に構成されている。
【００３０】
保持部は、凹部（保持凹部４７ｇ）であり、被保持部は、凹部（保持凹部４７ｇ）側に突出したラッチ４８ｇである。
上記構成によれば、凹部（保持凹部４７ｇ）にラッチ４８ｇが物理的に係止されることで、磁力によって係止するものと比較して、周辺の電子機器に及ぼす影響を抑制することができる。
なお、本発明に係る「保持部」と「被保持部」は、上記の保持凹部４７ｇとラッチ４８ｇのように物理的に係止するものに限定されず、マグネットと磁性体のように、磁力によって係止するものであってもよい。
【００３１】
本実施形態においては、フック部４８の回動軸に対して、径方向に離れた位置にラッチ４８ｇが回動軸（回動凸部４８ｆ）と平行に突出し、本体部４７ａに保持凹部４７ｇが形成されている構成となっている。
しかしながら、本発明はこのような構成に限定されず、フック部４８の回動軸（回動凸部４８ｆ）の周面に凹部、本体部４７ａにおける当該周面に対向する部位にラッチが形成されていてもよい。
【００３２】
本体部４７ａの先端部４７ａｃは、術者が接続部４７ｄの延出方向に対して斜めに荷重を付与しやすいように、中央部４７ａｂから上面が傾斜して先端に向かって薄肉となるように延在しており、基端部４７ａａ及び中央部４７ａｂよりも薄肉に形成されている。
このような形状で先端部４７ａｃが形成されていることで、中央部４７ａｂの下面が体表部４３の上面に満遍なく当接するように、接続部４７ｄをルーメン４４ａに完全に挿入しやすくなる。
【００３３】
フック部４８は、上記のように、胃瘻カテーテル４２の体表部４３に係合するものであり、本体部４７ａと別体で構成され、コネクタ４７におけるチューブ４６の挿込口４７ｂよりも回動凸部４８ｆ（回動軸）を回動中心として径方向外側まで回動可能である。
フック部４８は、２つの円盤部４８ａと、２つの第１延在部４８ｂと、２つの第２延在部４８ｃと、２つの第２延在部４８ｃに架設されて体表部４３に係合可能な掛止部４８ｄと、から主に構成されている。
第１延在部４８ｂは、２つの円盤部４８ａのそれぞれから径方向外側に延出している。第２延在部４８ｃは、第１延在部４８ｂのそれぞれに屈曲して一体的に形成され、直線的に延在している。
【００３４】
フック部４８の円盤部４８ａには、本体部４７ａとフック部４８とを相互に相対的に回動可能とする回動軸（回動凸部４８ｆ）が設けられている。回動凸部４８ｆは、チューブ４６の延在方向に対して直交する方向に配設されている。換言すると、回動凸部４８ｆは、チューブ４６の挿込口４７ｂの延在方向に対して直交する方向に配設されている。
フック部４８は、本体部４７ａに対して回動軸（回動凸部４８ｆ）を中心に回動可能に取付けられている。
なお、本体部４７ａ側に、回動軸（回動凸部）が設けられて、本体部４７ａとフック部４８とを相互に相対的に回動可能とする構成であってもよく、本体部４７ａとフック部４８のそれぞれに回動軸を構成する部位が設けられていてもよい。
【００３５】
上記構成によれば、コネクタ４７を介してチューブ４６を胃瘻カテーテル４２に接続する接続作業の後に、フック部４８を回動させることによって、体表部４３に係合させる作業を行うことができ、これらの作業が干渉しない。
【００３６】
掛止部４８ｄは、第２延在部４８ｃから側面視Ｌ字状に一方側に屈曲して延在している。フック部４８の掛止部４８ｄの一方側には、少なくとも一部が切り欠かれた凹部４８ｅが形成されている。フック部４８は、凹部４８ｅがチューブ４６の少なくとも一部を収容する位置まで回動可能に構成されている。
上記構成によれば、フック部４８に凹部４８ｅが形成されていることにより、例えばコネクタ４７を体表部４３に接続しないときには、フック部４８をチューブ４６に沿わせるように配設することができる。
【００３７】
特に、チューブ４６とコネクタ４７で構成されたチューブセット４１であれば、例えばコネクタ４７を体表部４３に接続しないときに、コンパクトに持ち運び及び保管することが可能となる。
なお、「チューブ４６の少なくとも一部を収容する位置」とは、チューブ４６がコネクタ４７に取り付けられていない状態においては、挿込口４７ｂの延長上の位置をいう。
【００３８】
また、ラッチ４８ｇが、凹部４８ｅがチューブ４６の一部を収容する位置に限定されず、フック部４８の掛止部４８ｄがチューブ４６に沿って配置される位置で、保持凹部４７ｇに係止される構成であってもよい。例えば、「チューブ４６に沿って配置される位置」とは、挿込口４７ｂの端面を中心として、チューブ４６の挿込口４７ｂの延長線から２０度以内の角度範囲をいうものとする。
【００３９】
＜フック部の保持位置について＞
次に、フック部４８の保持位置について、図３に加え、図４を参照して説明する。
図４（ａ）は、フック部４８が第１位置にある状態におけるチューブセット４１の一部を示す側面図、図４（ｂ）は、フック部４８が第２位置にある状態における胃瘻カテーテルセット４１Ｘの一部を示す側面図である。
【００４０】
保持部（保持凹部４７ｇ）と被保持部（ラッチ４８ｇ）とは、フック部４８が体表部４３に係合する位置（図１に示す位置）にあるときに係止する位置にある。
本実施形態においては、中央部４７ａｂの片側側面に形成された３つの保持凹部４７ｇのうち中央の保持凹部４７ｇにラッチ４８ｇが係止する位置にあるときに、フック部４８が体表部４３に係合する位置となるように構成されている。
上記構成によれば、保持凹部４７ｇとラッチ４８ｇが上記の位置関係を保持することで、フック部４８と体表部４３の係合状態を好適に維持することができる。
【００４１】
フック部４８の回動方向のうち、フック部４８が体表部４３に係合する際に体表部４３に近接する方向を一方向とする。この場合、保持部（保持凹部４７ｇ）と被保持部（ラッチ４８ｇ）とは、フック部４８が体表部４３に係合する位置から一方向にずれた位置（図４（ａ）に示す位置）で係止する。
上記構成によれば、保持凹部４７ｇとラッチ４８ｇが上記の位置で係止することで、フック部４８をチューブ４６に沿わせる等の状態を保持して、コネクタ４７をコンパクトに持ち運び及び保管することが可能となる。
なお、フック部４８が体表部４３に係合する際に体表部４３に近接する方向としては、フック部４８が、回動凸部４８ｆを中心に回動する際に、（体表部４３に挿入される）接続部４７ｄの先の領域に近接する方向をいう。
【００４２】
保持部（保持凹部４７ｇ）と被保持部（ラッチ４８ｇ）とは、フック部４８が体表部４３に係合する位置から一方向の逆方向にずれた位置（図４（ｂ）に示す位置）で係止する。
上記構成によれば、保持凹部４７ｇとラッチ４８ｇが上記の位置で係止することで、フック部４８の係合の前段階にある状態を保持し、フック部４８を体表部４３に係合させる状態に容易に移行することができる。
【００４３】
フック部４８は、本体部４７ａとの間で体表部４３の一部を挟持するように構成されていてもよい。
つまり、フック部４８の掛止部４８ｄが、図１に示す体表部４３を跨ぐように配置されたときに、体表部４３を本体部４７ａに向かって押圧しているような構成であればよい。
より具体的には、フック部４８又は体表部４３における相互の当接部位のいずれかが弾性変形可能であればよい。さらに、自然状態において、本体部４７ａにおける体表部４３との当接面（下面）と掛止部４８ｄとの距離が、体表部４３における本体部４７ａとの当接面（上面）と体表部４３における掛止部４８ｄと当接する当接面（下面）との距離よりも同じか小さければよい。
【００４４】
上記構成によれば、フック部４８が本体部４７ａとの間で体表部４３の一部を挟持することで、コネクタ４７と胃瘻カテーテル４２との接続をより強固にすることができる。
なお、掛止部４８ｄにおける体表部４３に当接する部位にウレタン等の弾性部材を備えるようにしてもよい。このような構成によれば、掛止部４８ｄが弾性変形した状態で、体表部４３に当接させるようにして、胃瘻カテーテル４２に対するコネクタ４７のぐらつきを好適に抑制することができる。
【００４５】
術者は、コネクタ４７を胃瘻カテーテル４２に取り付ける際には、図４（ｂ）に示す位置に、フック部４８の回動位置を保持し、コネクタ４７の接続部４７ｄを体表部４３のルーメン４４ａに押し込む。
具体的には、術者は、コネクタ４７の嵌合リブ４７ｄａが被嵌合溝４４ｃに嵌合する位置まで、コネクタ４７の接続部４７ｄを胃瘻カテーテル４２のルーメン４４ａに押し込む。
【００４６】
そして、コネクタ４７と胃瘻カテーテル４２の接続状態を安定させるため、術者は、フック部４８を、回動軸（回動凸部４８ｆ）を中心に胃瘻カテーテル４２に近接する側に回動させて、図１に示すように、掛止部４８ｄが体表部４３の下方に位置するようにする。
このようにすることで、嵌合リブ４７ｄａと被嵌合溝４４ｃの嵌合に加えて、フック部４８が体表部４３に係合することになり、コネクタ４７の胃瘻カテーテル４２からの離脱を確実に防ぐことが可能となる。
【００４７】
上記実施形態においては、体表部４３の下面がフック部４８に係合するものとして説明したが、本発明はこのような構成に限定されない。例えば、体表部４３の側面に、凹溝等の係合対象部位が形成されており、当該対象部位がフック部４８に係合するようにしてもよい。このような構成によれば、フック部４８の掛止部４８ｄが体表部４３の下方に潜り込まないため、体表部４３の下面に腹部が接していた使用者に違和感を起こさせないようにすることができる。
【００４８】
本実施形態は以下の技術思想を包含する。
（１）ルーメンが設けられて体内に挿入される長尺のシャフトと体表に露出する体表部とを有する胃瘻カテーテルと、栄養剤を送り込むためのチューブと、を接続するコネクタであって、
本体部と、
前記ルーメンに接続される接続部と、
前記体表部に係脱可能なフック部と、を備え、
該フック部は、前記接続部が前記ルーメンに接続された状態で、前記体表部に係合する係合位置と、前記体表部との係合が解除される解除位置と、に変位可能なように、前記本体部に回動可能に支持されていることを特徴とするコネクタ。
（２）前記本体部に保持部が設けられ、前記保持部に係止される被保持部が前記フック部に設けられており、
前記保持部は、前記被保持部に係止することにより前記本体部と前記フック部との位置関係を保持可能であり、前記フック部が回動したときの前記被保持部の経路上に配設されている（１）に記載のコネクタ。
（３）前記保持部は、凹部であり、
前記被保持部は、前記凹部側に突出したラッチである（２）に記載のコネクタ。
（４）前記保持部と前記被保持部とは、前記フック部が前記体表部に係合する位置にあるときに係止する位置にある（２）又は（３）に記載のコネクタ。
（５）前記フック部の回動方向のうち、前記フック部が前記体表部に係合する際に前記体表部に近接する方向を一方向としたときに、
前記保持部と前記被保持部とは、前記フック部が前記体表部に係合する位置から前記一方向にずれた位置で係止する（２）から（４）のいずれか一項に記載のコネクタ。
（６）前記フック部の回動方向のうち、前記フック部が前記体表部に係合する際に近接する方向を一方向としたときに、
前記保持部と前記被保持部とは、前記フック部が前記体表部に係合する位置から前記一方向の逆方向にずれた位置で係止する（２）から（５）のいずれか一項に記載のコネクタ。
（７）前記フック部又は前記本体部の少なくとも一方には、相互に相対的に回動可能とする回動軸が設けられており、
該回動軸は、前記チューブの延在方向に対して直交する方向に配設されており、
前記フック部は、前記本体部に対して前記回動軸を中心に回動可能に取り付けられている（１）から（６）のいずれか一項に記載のコネクタ。
（８）（１）から（７）のいずれか一項に記載の前記コネクタと、前記コネクタに接続される前記チューブと、を備えるチューブセット。
（９）前記フック部には、少なくとも一部が切り欠かれた凹部が形成されており、
前記フック部は、前記凹部が前記チューブの少なくとも一部を収容する位置まで回動可能に構成されている（８）に記載のチューブセット。
（１０）（１）から（９）のいずれか一項に記載の前記コネクタと、前記コネクタに接続される前記胃瘻カテーテルと、を備える胃瘻カテーテルセット。
（１１）前記フック部は、前記本体部との間で前記体表部の一部を挟持する（１０）に記載の胃瘻カテーテルセット。
【符号の説明】
【００４９】
４１  チューブセット
４１Ｘ  胃瘻カテーテルセット
４２  胃瘻カテーテル
４３  体表部
４４  シャフト
４４ａ  ルーメン
４４ｂ  仮想軸
４４ｃ  被嵌合溝
４５  バンパー
４６  チューブ
４７  コネクタ
４７ａ  本体部
４７ａａ  基端部
４７ａｂ  中央部
４７ａｃ  先端部
４７ｂ  挿込口
４７ｄ  接続部
４７ｄａ  嵌合リブ
４７ｆ  支持凹部
４７ｇ  保持凹部（保持部）
４７ｈ  ガイド溝
４８  フック部
４８ａ  円盤部
４８ｂ  第１延在部
４８ｃ  第２延在部
４８ｄ  掛止部
４８ｅ  凹部
４８ｆ  回動凸部（回動軸）
４８ｇ  ラッチ（被保持部）
【図１】
2020188846.tif 000003
【図２】
2020188846.tif 000004
【図３】
2020188846.tif 000005
【図４】
2020188846.tif 000006